(57)【要約】【課題】短くなった鉛筆を連結具など特別部材を使わず、また軸端を切削、螺旋加工などしないで簡単に、安く、強固に連結して使用可能とし、鉛筆廃棄量の半減を図る。【解決手段】鉛筆１の芯穴３の軸端部を一部空洞４として残し、空洞付きの鉛筆同士を串をダボとして挿着し連結する。串に接着剤を塗って芯穴に挿入時溢れた接着剤が、軸端面も同時に接着する。ダボの力と軸端面の接着力で強固な連結が生まれる。鉛筆メーカーは空洞分芯材も節減され、負担も少ない。空洞は所詮廃棄される部位にあり消費者側の損失はない。連結材が芯穴の串なので電動削り器にも使え、削り過ぎても刃の損傷がない。【選択図】図１
2017056714.tif 000002
【特許請求の範囲】
【請求項１】
鉛筆芯をその中心部に備えた鉛筆であって、
鉛筆軸において一端から他端の手前まで鉛筆芯が装着され、
他端の空洞にダボを挿入して、空洞を有する他の鉛筆と連結可能な、鉛筆。
【請求項２】
請求項１に記載の鉛筆の他端の空洞に挿入されて、
他の空洞を有する鉛筆との連結に使用されるダボ。
【請求項３】
請求項１に記載の鉛筆の他端の空洞に挿入される、
複数の折れ目が設けられ、折れ目で切断することにより請求項２に記載の複数のダボに分断される串。
【請求項４】
前記連結用として最適な直径と長さのダボを、
販売用鉛筆又は鉛筆パックに付属させた、請求項１に記載された鉛筆。
【請求項５】
鉛筆芯をその中心部に備えた鉛筆であって、半円形断面の芯穴が掘削された鉛筆軸板に鉛筆芯を装着する際、鉛筆軸端部の所定位置に芯端部が正確にセットされるように軸端部に空洞長さに相当する位置決め用連装ピンを配置してする芯装着工程を備えていることを特徴とする鉛筆の製造方法。
【発明の詳細な説明】
【技術分野】
【０００１】  本発明は鉛筆芯をその中心部に備えた鉛筆において、鉛筆軸の一端から他端の手前まで鉛筆芯が装着され、他端に形成された空洞にダボを挿入し、空洞を有する他の鉛筆にこのダボを挿通して連結可能とした鉛筆に関する。
【背景技術】
【０００２】  従来鉛筆は小刀削り、小型鉛筆削り器、電動又は手動の回転式削り器等により芯を削り出して使用するが、いずれの場合でもほぼ６ｃｍ以下になると、手で把持困難とか削り器使用が困難とかで削れなくなり、芯が充分残っているにも関わらず廃棄される。
この廃棄分を少しでも減らそうと鉛筆軸の加工方法や器具が数多発明・考案されている。【０００３】  磨り減った鉛筆の連結手段としては古くから補助軸があるが、ぐらついて使い難い上、鉛筆チャック部の直径が膨らむため、電動削り器等に装着できず、削れなくなる。
鉛筆の連結に関する特許、実用新案、意匠等従来の出願では鉛筆軸端の切削加工、穿孔、螺旋加工のほか連結具や切削具が必要とか、費用や手間や習熟を要する等の問題があり、廉価な鉛筆の場合、加工や改良が可能でも、費用対効果の問題で殆ど実施されなかった。
【先行技術文献】
【特許文献】
【０００４】
【特許文献１】  特開  ２００４−３０６５７０
【特許文献２】  特開  平０８−３２４１７９
【特許文献３】  実開  昭６２−２２８８８
【特許文献４】  特開  ２００９−２６９３２３
【特許文献５】  特開  ２０１０−１７９５４０
【特許文献６】  特開  ２００９−２７４４２６
【特許文献７】  特開  ２００６−１４２７９３
【特許文献８】  特開  平２２４９８９
【特許文献９】  特開  ２００３−６３１９１Ａ
【特許文献１０】  特開  ２００７−２８３７３９
【特許文献１１】  特開  ２０１３−２１５９３６
【特許文献１２】  実登  ３１１３０３８
【特許文献１３】  意匠登録  １５００７８３
【０００５】
【非特許文献】
【非特許文献】  中島重久堂（ナカジマジュウキュウドウ）  つなぐ削り器  ホームページ  ｈｔｔｐ：／／ｗｗｗ．ｎｊｋ−ｂｒａｎｄ．ｃｏ．ｊｐ／
【発明の概要】
【発明が解決しようとする課題】
【０００６】  従来の鉛筆の連結方法としては、次のようなものがあり、何れも問題があった。
先ず、軸先端部（削る側）を円錐形又は円筒形に削り、他方の鉛筆の後端部（削らぬ側）に、これに合致する穴を穿設して嵌合・接着する方法である。
円錐の傾斜角や円筒の直径が合致する専用の切削器具が必要で、費用や手間が掛かる。【０００７】  次は連結する鉛筆の軸両端部に、夫々ホゾ及びホゾ穴とを切削する特殊専用削り器で、これも上記同様費用と手間が掛かる。
又両鉛筆軸端部を夫々凹凸形に加工し、形成された円錐台形の凸部に雄螺旋を、凹部に雌螺旋を施して両者をねじ込み接着する方法で、費用や手間や習熟を必要とする。【０００８】  更に連結する鉛筆軸端部を円筒形と円錐形の連続する言わば砲弾型に加工し、両鉛筆を嵌合・接着するもので、仕上がりは頑丈であるが、特殊削り器にかなりの費用が掛かり、その上加工に習熟を要するため、未熟で非力な小学生等には難しいという問題がある。
当発明は後述の実施化が実現し、只今エコ（環境配慮）関連として注目を集めている。【０００９】  次の方法は鉛筆軸の端部を縮径切削して雄螺旋を施し、他方鉛筆軸端にこれに合致する穴を穿設して前記と同サイズの雌螺旋を加工して両者を連結するとか、短小鉛筆の両端に前記と同サイズの雌螺旋・雄螺旋を設けた中間連結具（アダプター）を作って、２本以上の鉛筆も自在に連結できるという凝ったものであるが、費用や加工が大変である。【００１０】  次の２方法は鉛筆軸端面を突き合わせて接着剤で連結するが、０．５ｃｍ２もない軸端面積では、筆記時の折り曲げ力に抗し得る持続的で充分な接着強度が得られない。
又次は鉛筆軸両端を斜めに削ぎ切り、接着面積を増大し接着力を強化しようという所謂削ぎ継ぎの手法を応用したものであるが、傾斜角や平滑度等、正確を要し加工が難しい。【００１１】
2017056714.tif 000003
を嵌め込んで接着する方法で、加工が難しく、費用が掛かる上、この部分が欠け易い。
その他補助軸に似た鉛筆ホルダーの末端内側に雌螺旋を切り、鉛筆軸端には雄螺旋加工して螺合するもので、単純に挿入して絞める補助軸より勝るが、手間と費用が掛かる。【００１２】  最後は［００１０］で記述の特許事案である。鉛筆軸端を砲弾型に加工してしまえば、木工用接着剤を塗り挿入するだけなので簡単であるが、加工用削り器に費用が掛かる上、操作にかなりの習熟を要し、主なユーザーである小学生には難しいと云う問題がある。【００１３】  本発明は上記の如き従来技術の問題点に鑑み、特別な材料や器具や手間や習熟を必要とせず、鉛筆製造時、芯穴の末端の一部に芯を装着せずに空洞とし、市販の串をダボとして挿着し、鉛筆同士の強固な連結ができる鉛筆を提供することを目的とするものである。
本発明の鉛筆により、簡単作業で、且つ低コストで、強固な連結が得られる。
【課題を解決するための手段】
【００１４】  本発明は鉛筆芯をその中心部に備えた鉛筆において、芯装着時芯穴の軸端側一部を残し空洞として、その空洞にダボを挿着し、他の空洞付きの鉛筆と連結しようとするもので、ダボによる連結は安価で、作業が簡単で、強固である。ダボが鉛筆同士を強く引き付け、挿入時ダボに塗った接着剤が一部端面に溢れ端面同士も接着し、両鉛筆軸を一体化する。本発明において、鉛筆や木材の連結とは鉛筆や木材同士を繋ぎ合わせることをいう。【００１５】  本発明における鉛筆芯穴の一部空洞化は、従来の鉛筆の芯を節減するというだけが目的でなく、空洞を有効利用し、これにダボを挿着して短くなった鉛筆を更に使用可能として鉛筆廃棄量の半減を図る、という環境配慮が大きな目的である。【００１６】  ダボとは、木材同士を接着剤を併用して繋ぎ合わせる際に使う木製丸棒を意味し、一般では、直径６ｍｍから１２ｍｍ、長さ２ｃｍから１０ｃｍまでが規格品として存在する。鉛筆芯穴用の小径ダボが規格にないため、サイズが合う市販の調理用串をダボとして転用するもので、本発明においてダボとは、鉛筆連結用として転用する串を意味する。【００１７】  従来のダボは側面に緩い螺旋状縦溝が施され、酢酸ビニル系接着剤で挿着するが、串は縦溝がないので、挿入の容易化と、接着剤充填用の隙を設けるため、芯穴より小径となる。串は芯穴への挿入容易化のため、図３の如く両端をダボ同様面取りすることが好ましい。ダボ連結の強度はホゾ組に匹敵すると云われ、家具や建具に多用されている。【００１８】  本発明における串とは串状をした細丸棒ならば、木・竹・プラスチック等材料を問わず、金属以外なら調理用の串に限られたものでなく、例えば爪楊枝でも使用できる。
本発明ではそれ等が直径１．６ｍｍ、１．８ｍｍ、２．０ｍｍ、２．２ｍｍ、２．５ｍｍ等と多種市販され、鉛筆から色鉛筆まで幅広く対応できることに着目したものである。【００１９】  本発明の鉛筆の連結の方法は、磨り減った鉛筆同士でも、磨り減った鉛筆を磨り減っていない鉛筆に連結しても構わない。何れの場合でも鉛筆軸端の空洞部同士を突き合わせてダボを挿着すればよい。芯の直径が異なる鉛筆では細い方のダボを用い連結可能である。【００２０】  本発明では鉛筆芯穴の一部空洞の旨表示が好ましい。第一次大戦当時軸端のみ芯を装着したキセル鉛筆と悪評された日本製手抜き鉛筆があったという史実から、手抜き鉛筆ではなく、意図的にエコロジーに配慮した鉛筆である旨、ユーザーに周知するためである。【００２１】  ダボの長さは如何なる場合でも連結する両鉛筆の芯穴空洞部長さの合計値以内とする。ダボの引抜抵抗を最大限生かすためには、両空洞部長さの合計値一杯の長さが好ましい。ダボが空洞長さの合計値を超える場合は、串がつかえて軸の端面が接着できず、連結力が激減するため、空洞長さを表示することが好ましい。【００２２】  本発明では鉛筆の芯材は空洞分だけ節減される。節減率は空洞３０ｍｍとして１７％、２０ｍｍで１１％となる。この空洞部分に相当する芯は、従来の鉛筆の使用状況では所詮廃棄される部分であり、ユーザーの損失は全くない。後の製造方法で記述の如く、製造時軸端側一部に芯を装着せず残すというだけなので、メーカー側の負担増は少ない。【００２３】  鉛筆芯の直径はＪＩＳ規格に定められており、Ｈ系は１．８ｍｍ以上、Ｆ―ＨＢ―Ｂ系は２ｍｍ以上、色鉛筆は硬質が１．８ｍｍ以上、中硬質が２．５ｍｍ以上、軟質が３．５ｍｍ以上となっているので、鉛筆連結の際、ユーザーが串購入時、最適直径を選べるよう許容の直径を表示することが好ましい。これは芯直径の異なる鉛筆連結時も有益である。【００２４】  前記芯の直径についてはＪＩＳ規格に定められているが、長さについては特段の定めがない。芯装着工程で溝切りをした軸板に芯材を装着し、片方の軸板を貼り合わせ、圧着後軸端をカットするので、芯長さと軸長さは必然的に一致するため、芯の長さに関する規定はなく、芯を短くしても規格上の問題は生じないものと思われる。【００２５】  本発明において、ユーザーが鉛筆連結のため市販の串や爪楊枝を求める場合、インターネット広告では直径や長さ等の表示があるが、市販の小パックには長さと入数の表示しかなく、直径が１．８ｍｍか２ｍｍか判別できず購入品が無駄になる可能性が高い。無駄をなくすため鉛筆メーカーかその鉛筆に対応したダボを付けて販売することが好ましい。【００２６】  ダボが空洞長さ以内になるよう、図３の如く所定の間隔で折れるよう円周方向の溝７を施し、この折れ目で切断することにより複数のダボに分断される。この円周溝により串は折った時、自然にダボの如く両端を面取りした形となる。鉛筆メーカーは既製串メーカーを有効利用することにより、必要な直径や長さのダボを僅少なコストで調達できる。【００２７】  鉛筆の製造工程において、従来の鉛筆では半円形の芯溝が切られた軸板に、芯材を装着する際、軸板端面より幾分飛び出た状態で上側の同じく芯溝を切った軸板を重ね合わせて接着し、接着剤乾燥まで圧着された後１本づつに鋸引きされるので鉛筆軸と芯は同一長さに切り揃えられる。本発明においては、鉛筆軸の他端に一部芯を装着せず空洞のまま残す上、この空洞の長さがダボの長さ以下にならぬよう、芯端部の精密な装着を要するので、図６にその装着方法として、芯端位置決め用連装ピン装置を例示したものである。これにより芯端部はピンの長さに相当した位置にセットされ、正確な長さの空洞部ができる。
【発明の効果】
【００２８】  本発明において鉛筆を連結する場合、軸端の芯穴の空洞部に接着剤を塗ったタボを挿入すると溢れた接着剤が軸端面に溜まるが、このまま突き合わせて押し付けると端面も自然に接着されるので、本発明のダボ連結方法では、ダボの引張強さと、引抜抵抗と剪断強さに加え、軸端面同士の接着力も同時に加わり、一体化して強い連結力が得られる。【００２９】  一般にダボを連結の木材に装着する場合、穿孔直径がダボと同径であるため、片方の穴ともう一方の穴を合致させるのが難しく、マーキングポンチと称する特殊道具が必要とか、穴の垂直度が問題となるが、本発明による鉛筆軸の連結の場合は、正確に中心に位置する芯穴を利用するのでピッタリ合うため、連結作業が極めて容易である。【００３０】  本発明のダボ挿着による連結部の折り曲げ抗力について考えると、軸端面同士の接着力はその面積が０．５ｃｍ２以下と小さいため連結力としては弱いが、軸が互いに回るのを止めダボの芯穴との剥離を防ぎ、延いてはダボの引張り強さと引抜抵抗と剪断強さで端面接着の剥離を防ぐという相乗効果で、強い連結力を保持するものと考えられる。
言わば鉄筋コンクリートの鉄筋とコンクリートとの相乗効果に類似している。【００３１】  ダボ挿入時に塗る接着剤は凝固時にヒケ（容績収縮率）の少ない、しかも或程度粘度が高いものが好ましい。その点で凝固したら何も残らないような、さらさらした溶剤含有量の多い瞬間接着剤は不適当と考えられた。即ち芯穴とダボとの隙において接着剤が凝固後或程度巣（内部空洞）の生成が少ない方が、芯穴内でダボを保持できると考えられる。【００３２】  又、鉛筆メーカーが最適なダボを鉛筆パックに付けて販売する場合、図２に示す如く、串には所定長さ毎に円周方向に折れ溝を付けるが、折った串は面取り状のダボになって、芯穴に挿入し易くなり、又接着剤を掻き上げ内部に空気が溜まり、ヒケ巣が生じて接着力が減退すると云った悪影響を防ぐ効果も認められた。【００３３】  従来の鉛筆連結方法に比し、本発明が優れている点としては、費用が僅少であること、連結がダボに接着剤を塗って挿入するだけの簡単な作業であること、連結が強固なこと、及び連結部が鉛筆本来の最大軸径より膨らまず、電動削り器に装着が可能なこと、並びに、連結材が木製ダボであるため、削り過ぎても削り器の刃損傷の懼れがないことであった。【００３４】  本発明により鉛筆廃棄の使用限度が、６ｃｍから３ｃｍに短縮された場合、経済的効果としては鉛筆長さの１７分の３で、１０円にも満たないということになるが、廃棄鉛筆が６ｃｍから３ｃｍに半減短縮されたと考えれば経済効果と共に環境配慮効果大と云える。日本人の美徳「もったいない」の倹約精神涵養のための恰好の教材として活用できる。【００３５】  又電動削り器で削れる限度の６ｃｍという長さは、筆記にも描画にもやや使い難い長さとなるが、これを本発明の方法で連結すると１２ｃｍとなり、頃合いの長さとなる。
１２ｃｍから６ｃｍまで使うということは使い勝手がよい区間を使えることになる。
【図面の簡単な説明】
【００３６】
【図１】軸端部の一部に空洞を残して芯を装着した鉛筆の断面図。
【図２】鉛筆の連結状態を示す断面図である。
【図３】鉛筆の連結用ダボに分断する前の串の正面図である。
【図４】鉛筆の連結に用いる爪楊枝の正面図である。
【図５】従来の芯を装着した状態の鉛筆軸板の斜視図。
【図６】鉛筆軸板の芯装着工程における芯端位置決め用連装ピン関係斜視図
【発明を実施するための形態】
【００３７】  以下、本発明に係る鉛筆及びその製造方法について、先ず、鉛筆について図１を用いて説明する。図１は本発明の実施形態に係る鉛筆の、軸端部の一部に空洞を残して芯を装着した鉛筆製品の断面図である。鉛筆軸の一端から他端の手前まで芯が装着され、他端には一部芯が装着されず空洞が形成され、鉛筆軸本体が磨り減って短くなった時、この空洞に接着剤を塗ったダボを挿入し、同じく空洞を有する他の鉛筆と挿通連結するものである。
【００３８】  次に図２は空洞付き鉛筆が、磨り減った状態の鉛筆２同士を、空洞部４を突き合わせて連結した状態の断面図である。突き合わせた両空洞部に、空洞部長さの合計値以内のダボ５を接着剤を塗って挿通する。連結用のダボ５と空洞部末端（即ち鉛筆芯末端）との軸心方向、及びダボと芯穴との直径方向には若干隙がある。図２の軸端面突き合わせ６を押し付けた時、ダボ挿入時に溢れて溜った接着剤により、軸端面同士も接着される。
【００３９】  符号４の空洞部分にダボ５が挿着されるが、ダボに接着剤を塗って挿入する時、軸端面でこすり取られた接着剤が鉛筆軸の突き合わせ面６に滞留し、薄膜状に介在するが、軸を突き合わせた時にこれが端面同士を接着させる。ダボと空洞部との接着力との相乗効果で強固な連結が生まれる。鉛筆を使用時には連結部に圧縮、引張り、捻りや剪断等複雑な力が加わるが、ダボの引き付ける力と端面接着力により連結は維持される。
【００４０】  本発明における鉛筆の連結力は、ダボの引張強さと引抜抵抗と剪断強さに加え、鉛筆軸端面の接着力の相乗効果と云える。従ってダボの長さが芯穴の空洞部長さを超える場合はダボがつかえて端面が接着されないので、如何なる場合でもダボの長さは連結鉛筆の空洞長さの合計値以内とする。但しダボの引抜抵抗確保のため空洞部の長さ一杯が好ましい。又、ユーザーが串の長さを決める時のため、空洞部長さを表示することが好ましい。
【００４１】  芯直径が異なる鉛筆の連結の場合、細い方のダボを使用して連結可能であるが、資料によれば実際の芯直径は９ＨからＨが１．９５ｍｍ．ＦとＨＢが２．０５ｍｍ（Ｂと２Ｂは２．２５ｍｍ）となっているので、市販の１．８ｍｍサイズの串をダボとして使えば普通の鉛筆は殆ど適用範囲に入ることとなり、小中学校でのニーズに対応できるものと思われ、当初から多種直径のダボを供給する必要はなく、低コストで実施可能となる。
【００４２】  前述の如く、芯直径が異なる鉛筆の連結においては、細い方のダボを使用して連結可能であるが、大雑把に把握した資料によれば実際の芯直径は９ＨからＨが１．９５ｍｍ、ＦとＨＢが２．０５ｍｍ（Ｂと２Ｂは２．２５ｍｍ）となっているので、市販の１．８ｍｍサイズの串をダボとして使えば普通の鉛筆は殆ど適用範囲に入ることとなり、小中学校でのニーズに対応できるものと思われ、当初実施時、多種の直径ダボの供給の必要はない。
【００４３】  鉛筆連結作業時はダボに接着剤を塗る前に仮入れし、ダボがつかえることなく軸端面が密着するかどうか確認してからダボを挿着するようユーザーに案内することが好ましい。ダボがつかえると前述の如く連結力が激減することを知らしめる必要がある。
【００４４】  木材のダボによる連結の場合、穿設するダボ穴がダボと同じ直径であるため、穴同士の合致が難しいという問題があるが、本発明においては１００分の１ｍｍ以下の精度で切削加工をされた鉛筆と、正確に鉛筆軸の中心に位置する芯穴にダボを挿通するので、ぶれの懼れや軸心への平行度の危惧もなく、連結作業はスムーズに行うことができる。
【００４５】  ダボとして鉛筆に附属する串は縦溝がないため、接着剤充填スペースとして適度な隙が必要であり、又図３のように串の両端も面取りをして挿入を容易ならしめる必要がある。尚串はダボとして所定の長さに分断するため、空洞長さの２倍以内の間隔で折れるよう、図３のように円周方向の溝を施すが、これで串を分断するとダボの両端は自然に面取り状となり挿入容易となる。
【００４６】  図４は市販の爪楊枝の断面図である。前述の如く１．６ｍｍ、１．８ｍｍから各種直径のものが市販されているが、鉛筆の連結用としては、木製で充分な強度があり、軸端面が接着されていれば折れるということは先ずない。木製の場合はカッターを当てて板の上で転がすと簡単に切れ便利であり、頭部に加工された円周溝のためか空洞部との接着は強い。串転用のダボも上記爪楊枝様の円周溝を入れた方が接着力が高まるものと考える。
【００４７】  鉛筆芯の直径は規定でＨ系が１．８ｍｍ以上、Ｆから６Ｂまでが２ｍｍ以上で、色鉛筆が１．８ｍｍから３．５ｍｍ以上となっているが、もし製造工程上コスト的に可能なればいっそのこと，全ての空洞部の直径を色鉛筆の芯の最大直径に合わせて加工すれば、ダボの直径は１種類に集約されて簡素化される。
【００４８】  本発明の鉛筆芯穴の一部空洞化による鉛筆芯材料の節減率は、空洞長さ３０ｍｍとした場合１７％、２０ｍｍでは１１％である。この空洞部に相当する芯材は、従来は所詮廃棄される部分にあり、ユーザーに与える損害は全くない。これは新品鉛筆長さから算出した値であるが、廃棄鉛筆の観点から見れば通常６ｃｍで廃棄される鉛筆が３ｃｍまで使えることになれば、節減率は５０％と云うことになり、環境配慮効果大と云える。
本発明は無駄な芯の装着を省くと共に、鉛筆廃棄量の大幅削減をも達成するものである。
【００４９】  本発明の芯穴空洞付き鉛筆が市販された場合、かつてキセル鉛筆と云われた軸両端のみ芯を装着した手抜き鉛筆と混同されないよう、環境に配慮した鉛筆であるとの表示が必要と思われる。ＥＭＰＴＹ、カラ、から、空洞等々一見して分かるような表示が望ましい。
空洞の表示としては、軸端側に鉢巻塗装を施して空洞長さと共に色調で表示するのもよい。
【００５０】  本発明における串とは串状をした細丸棒なら木、竹、プラスチック等材料の如何を問わす、調理用串に限らず例えば爪楊枝や綿棒の軸等でもよい。串や爪楊枝は鉛筆芯の直径に近い各種サイズが市販され、手に入り易いので取り上げたもので、本発明ではこれをダボとして使用する。端面接着にダボ挿着を加えると連結力が飛躍的に強化される。
【００５１】  本発明は芯穴の一部に空洞を形成し、ダボを挿着して磨り減った鉛筆同士を連結して廃棄する鉛筆の延命を図ろうとするものである。高価な鉛筆の場合、安価な鉛筆を補助軸代わりに連結使用するというパターンも考えられる。何れにしても６ｃｍ以下となって、削るのも使うのも困難という時、少なくとも１２ｃｍ以上となるので利用価値がある。
【００５２】  鉛筆メーカーが連結用ダボを鉛筆パック等に附属販売する場合、ダボを鉛筆空洞部長さの２倍以内で、正確に所定の長さで折れるよう、円周溝を施す。尚、図４の現在の爪楊枝頭部のコケシ状の浅い円周溝９をダボ両端に付ければ、従来ダボの圧縮溝のように接着力を強化する作用も考えられ、より強固な連結力が期待される。市販の串で長いものは１８ｃｍのものがあり、空洞長さ合計値４０ｍｍなら４本取れ、極めて低コストとなる。
【００５３】  尚、消しゴム付鉛筆も普通鉛筆と同様軸端に空洞を設けるが、この軸端は縮径切削してあるので、消しゴム付鉛筆同士を連結する。両方の消しゴムを取り外し、片方は固定具も取り外す。空洞部に一般鉛筆同様接着剤を塗った串を挿入し、他方の鉛筆の切削空洞部を突き合わす。固定具内側には消しゴムの▲鋏▼めパンチ凸起が出ているので、強く押し込む。端面に溜まる接着剤は押し込むと円筒部と固定具の隙に入り込み一層連結が強化される。
【００５４】  接着理論では種々の説があるが、鉛筆軸の端面の接着に関しては、その面積が０．５ｃｍ２以下と小さく、接着力としては弱い。端面を綺麗に研磨仕上げするほど接着力は弱まる。本発明では美的感覚を犠牲にし、端面接着力強化のため鋸目が多少残る粗さが好ましい。
【００５５】  従来の鉛筆の製造方法を図５に従い説明する。鉛筆は軸直径の２分の１の厚みの軸板に鋸引きされ、ワックスと塗料のエマルジョンを加圧含浸後、半円断面の芯溝が切られる。芯は軸端面より１〜２ｍｍ飛び出た状態で装着される。その上に同じ芯溝を切った上半分の軸板が重ね合わせ接着され、接着剤乾燥まで圧着される。上記軸板を１本づつの鉛筆に切削研磨後、数回の塗装とメーカー名の刻印等を経て、両端が軸芯共に切り揃えられる。
【００５６】  本発明では上記製造工程において、芯を装着の時点で、図６に示す芯端位置決め用連装ピンを芯穴軸端部に挿入し、芯が所定の空洞を残して装着されるようにしたものである。上記芯端位置決め用連装ピンは、軸板が９本組単位の場合は９本連装に構成される。
本発明では芯穴空洞長さがダボ長さ以下となった時、致命的な連結力喪失が起きるため、空洞長さは極めて精緻な値にセットする必要があり、本方法が考え出されたものである。
【００５７】  尚、ダボに接着剤を塗って芯穴に挿入時、溢れてはみ出た接着剤が鉛筆軸端面に溜まるがこのまま両鉛筆軸を突き合わせて押し付けると、軸端面で圧縮され、ダボと芯穴間の隙に接着剤が圧入されて、ダボと芯穴との接着を強化すると同時に、軸端面もついでに接着するという思わぬ効果も見出された。鉛筆の連結なるもの軸端面を強固に接着し、これを如何に維持するかという問題であり、ダボがこの維持する役割を担うことが分かった。
【００５８】  又弾性系接着剤はダボが引張りで変位しようとするため、軸端面が剥がれ易く、不適と思われた。当方実験の結果では、木工用（酢酸ビニール系）接着剤の如く粘度があって、凝固する時にヒケが少なく、完全に硬化するものが好ましいことが分かった。
２液合成型のエポキシ樹脂はヒケが少なく、強度大で理想的であるが、粘土が高過ぎて、芯穴深奥部まで行き渡り難いとか、練り合わせが面倒とか、高価とかの問題があった。
【符号の説明】
【００５９】    １      鉛筆の軸本体（製品）
２      磨り減った鉛筆の軸本体
３      鉛筆の芯
４      芯穴空洞部
５      鉛筆連結用ダボ
６      鉛筆軸端面突き合わせ
７      串の折れ目用円周溝
８      爪楊枝
９      爪楊枝の円周溝
１０      芯端位置決め用連装ピンアーム
１１      芯端位置決め用連装ピン
１２      鉛筆軸板
１３      芯溝
【図１】
2017056714.tif 000004
【図２】
2017056714.tif 000005
【図３】
2017056714.tif 000006
【図４】
2017056714.tif 000007
【図５】
2017056714.tif 000008
【図６】
2017056714.tif 000009
【手続補正書】
【提出日】平成27年9月28日(2015.9.28)
【手続補正１】
【補正対象書類名】図面
【補正対象項目名】図２
【補正方法】変更
【補正の内容】
【図２】
2017056714.tif 000010
【手続補正書】
【提出日】平成27年10月19日(2015.10.19)
【手続補正１】
【補正対象書類名】明細書
【補正対象項目名】００２１
【補正方法】変更
【補正の内容】
【００２１】  ダボの長さは如何なる場合でも連結する両鉛筆の芯穴空洞部長さの合計値以内とする。ダボの引抜抵抗を最大限生かすためには、両空洞部長さの合計値一杯の長さが好ましい。ダボが空洞長さの合計値を超える場合は、ダボがつかえて軸の端面が接着できず、連結力が激減するため、空洞長さを表示することが好ましい。
【手続補正２】
【補正対象書類名】明細書
【補正対象項目名】００３２
【補正方法】変更
【補正の内容】
【００３２】  又、鉛筆メーカーが最適なダボを鉛筆パックに付けて販売する場合、図３に示す如く、串には所定長さ毎に円周方向に折れ溝を付けるが、折った串は面取り状のダボになって、芯穴に挿入し易くなり、又接着剤を掻き上げ内部に空気が溜まり、ヒケ巣が生じて接着力が減退すると云った悪影響を防ぐ効果も認められた。
【手続補正３】
【補正対象書類名】明細書
【補正対象項目名】００２６
【補正方法】変更
【補正の内容】
【００２６】  ダボが空洞長さ以内になるよう、図３の如く串が所定の間隔で折れるよう円周方向の溝７を施し、この折れ目で切断することにより複数のダボに切断される。この円周溝により串は折った時、自然にダボの如く両端を面取りした形となる。鉛筆メーカーは規制串メーカーを有効利用することにより、必要な直径や長さのダボを僅少なコストで調達できる。
【手続補正４】
【補正対象書類名】明細書
【補正対象項目名】００４２
【補正方法】削除
【補正の内容】
【手続補正５】
【補正対象書類名】図面
【補正対象項目名】図１
【補正方法】変更
【補正の内容】
【図１】
2017056714.tif 000011
【手続補正６】
【補正対象書類名】図面
【補正対象項目名】図２
【補正方法】変更
【補正の内容】
【図２】
2017056714.tif 000012